(57)【要約】【課題】宣伝効果に見合った広告料金を算定するロッカー装置管理システムを提供する。【解決手段】ロッカー装置管理システム１に荷物を収納する荷物室１２と荷物室１２を開閉する扉１３とを具備するロッカー１１を複数備え、且つロッカー１１の扉１３に情報表示手段１３ａが設けられたロッカー装置１０と、ロッカー装置１０の利用実績を計測する利用実績計測手段２０と、ロッカー装置１０が設置される施設の利用者数を計測する利用者数計測手段と、利用実績と利用者数を管理する管理装置２４と、利用実績をロッカー装置１０から管理装置２４に転送する伝達手段２２ａ、２２ｂとを備えたことを特徴とする。【選択図】　　　図１
2004102529.tif 000002
【特許請求の範囲】
【請求項１】
荷物を収納する荷物室とこの荷物室を開閉する扉とを具備するロッカーを複数備え、これらロッカーの該扉に情報表示手段が設けられたロッカー装置と、
このロッカー装置の利用実績を計測する利用実績計測手段と、
該ロッカー装置が設置される施設の利用者数を計測する利用者数計測手段と、
該利用実績と該利用者数を管理する管理装置と、
該利用実績を該ロッカー装置から該管理装置に転送する伝達手段と、
を備えたことを特徴とするロッカー装置管理システム。
【請求項２】
請求項１に記載のロッカー装置管理システムにおいて、
前記伝達手段が通信機であることを特徴とするロッカー装置管理システム。
【請求項３】
荷物を収納する荷物室を開閉する扉に広告が貼付けられたロッカー装置の利用実績を計測し、
この利用実績を伝達手段を介して管理装置に入力し、
次に、該ロッカー装置が設置される施設を利用する利用者数を該管理装置に入力し、
この管理装置によって前記利用実績と前記利用者数とから前記広告の広告料金が算出されることを特徴とするロッカー装置管理方法。
【請求項４】
請求項３に記載のロッカー装置管理方法において、
前記伝達手段としての通信機によって、前記利用実績を管理装置に入力することを特徴とするロッカー装置管理方法。
【発明の詳細な説明】
【０００１】
【発明の属する技術分野】
本発明は、一時預かりを行うロッカー装置のロッカー装置管理システムおよびロッカー装置管理方法に関する。
【０００２】
【従来の技術】
従来より、コインロッカーと称されるロッカー装置は、駅など多数の人が出入りする施設に設置され、利用者の荷物を一時的に預かる手段として広く一般的に利用されている。また、このようなロッカー装置は、人目につくところに設置されることから、ロッカー装置の前面にポスターなどの広告を貼付けることで、ロッカー装置を広告媒体として活用し、収益性を向上することが従来から行われている（たとえば特許文献１参照。）。
【０００３】
【特許文献１】
特開平３−１６６６８６号公報（第４頁、図１）
【０００４】
【発明が解決しようとする課題】
しかしながら、従来のロッカー装置では、広告媒体としての宣伝効果を評価する手段を備えていなかったために、広告料金の設定基準が曖昧になり、広告料金に見合った宣伝効果を得られるのかという疑問が顧客から寄せられる可能性があった。
【０００５】
そこで本発明は、宣伝効果に見合った広告料金を算定するロッカー装置管理システム、およびロッカー装置管理方法を提供することを目的とする。
【０００６】
【課題を解決するための手段】
請求項１に記載の発明は、荷物を収納する荷物室とこの荷物室を開閉する扉とを具備するロッカーを複数備え、これらロッカーの該扉に情報表示手段が設けられたロッカー装置（荷物預け入れ手段）と、このロッカー装置の利用実績を計測する利用実績計測手段と、該ロッカー装置が設置される施設の利用者数を計測する利用者数計測手段と、該利用実績と該利用者数を管理する管理装置と、該利用実績を該ロッカー装置から該管理装置に転送する伝達手段とを備えたことを特徴とする。
【０００７】
請求項２に記載の発明は、請求項１に記載のロッカー装置管理システムにおいて、前記伝達手段が通信機であることを特徴とする。
【０００８】
請求項３に記載の発明は、荷物を収納する荷物室を開閉する扉に広告が貼付けられたロッカー装置の利用実績を計測し、この利用実績を伝達手段を介して管理装置に入力し、次に該ロッカー装置が設置される施設を利用する利用者数を該管理装置に入力し、この管理装置によって前記利用実績と前記利用者数とから前記広告の広告料金が算出されることを特徴とする。
【０００９】
請求項４に記載の発明は、請求項３に記載のロッカー装置管理方法において、前記伝達手段としての通信機によって、前記利用実績を管理装置に入力することを特徴とする。
【００１０】
【発明の実施の形態】
本発明の一実施形態としてのロッカー装置管理システムについて、図面を参照して詳細に説明する。図１はロッカー装置管理システム１のシステム概要図で、ロッカー装置１０が鉄道の複数の駅に設置された場合が示さ、図２はロッカー装置１０の要部拡大図である。
【００１１】
本実施形態のロッカー装置管理システム１は、図１に示されるように、複数の駅に設置されたロッカー装置１０と、各駅に設置されたロッカー装置１０の利用実績（稼働実績）を管理する管理装置２４を備えている。また、図２に示されるように、各ロッカー装置１０には、管理装置２４にロッカー装置１０の利用実績を計測する利用実績計測手段としてのカウンタ２０と、カウンタ２０によって計測された利用実績を管理装置２４に送信する伝達手段としての通信機２２ｂと、通信機２２ｂから送信された利用実績を管理装置２４で受信する伝達手段として図１に示される通信機２２ａとが設けられている。
【００１２】
各ロッカー装置１０は、図２に示されるように、荷物を収納する荷物室１２と、この荷物室１２を開閉する扉１３とを具備し各扉１３ごとに施錠・解錠が可能なロッカー１１が複数設けられている。また、情報表示手段として、扉１３の前面１３ａが額縁状に形成されており、枠材によって扉面に固定される透明な板材と扉面との間に宣伝材料を差込むことで広告媒体としての機能を発揮する。
【００１３】
各ロッカー１１には、料金投入口１４と、料金表示部１５と、錠部１６とが設けられており、利用者が荷物を預ける際に、料金を支払い、施錠し、また利用者が荷物を引き取る際に、不足料金を支払い、解錠することで荷物の一時預かりを行うことができる。
【００１４】
ロッカー装置１０の上部には、各ロッカー１１が利用された回数を計測するカウンタ２０が設置されている。なお、本実施形態では、初回利用料金、および追加利用料金を算出するためのタイマーが稼働した回数を計測して利用実績としている。
【００１５】
また、ロッカー装置１０の上部には、利用実績を管理装置２４に転送する通信機２２ｂが設置されている。通信機２２ｂは一定時間間隔で管理装置２４に利用実績を通信機２２ａに転送し、たとえば、任意の一定期間、または１つの広告が掲出される期間の始めと終わりに利用実績を転送することで、掲出期間内にロッカー装置１０が利用された回数を計測することができる。
【００１６】
なお、ロッカー装置１０が設置される各駅の利用者数を計測する利用者数計測手段として、改札口を通過する乗降客の人数を計測するなどにより計測され、鉄道会社から公表される各駅の乗降客数を利用者数として使用している。
【００１７】
年間を通じて計測された利用実績から、各ロッカー１１が１日あたりに利用される回数を算出し、この一日あたりの利用回数と鉄道会社から公表される駅の乗降者数とから、図３に示されるような現場ランクＬ１〜Ｌ１１にロッカー装置１０をランク分けし、各現場ランクに応じて広告掲載料金を設定する。
【００１８】
また、管理装置２４によって、各ロッカー装置１０に付けられた管理番号とロッカー装置１０が設置されている駅名、および駅構内の設置場所、ロッカー装置１０の機種、台数、駅の乗降者数、ロッカー装置１０の１日あたりの利用回数、ロッカー装置１０の現場ランク、広告料金、ロッカー装置１０の広告媒体としての利用状況、および予約状況などが管理されるため、広告主からの依頼に対して、素早く対応することができる。
【００１９】
＜広告料金算出手順＞
ロッカー装置１０を管理する方法としては、まず、交換作業員が、ロッカー装置１０の扉１３に掲出されている広告を所定の顧客から依頼された広告に入替える。そして、広告の入替え作業後に交換作業員が、通信機２２ｂを操作して、広告の入れ替え作業が終了したことを通信機２２ａに送信する。
【００２０】
次に、利用者がロッカー１１に荷物を預け、所定の料金を支払い、扉１３を施錠した際に、初回利用料金、および追加利用料金の算定を行うためのタイマーが稼働するので、タイマーが稼働した回数をカウンタ２０が計測しロッカー装置１０の利用実績とする。
【００２１】
次に、所定の時間間隔ごとに通信機２２ｂによって、ロッカー装置１０の利用実績をロッカー装置１０から通信機２２ａに送受信し、管理装置２４に入力する。また、ロッカー装置１０が設置される駅を管理する鉄道会社から公表される駅の乗降者数を駅の利用者数として管理装置２４に入力する。
【００２２】
管理装置２４に入力されたロッカー装置１０の利用実績と駅の利用者数は、図３に示される現場ランク算出表に基づいてランク分けが行われ、各ロッカー装置１０の所定の掲出期間での広告料金が算出される。
【００２３】
以上の構成により、ロッカー装置１０の利用実績とロッカー装置１０が設置される駅の乗降者数とから設置されたロッカー装置１０が備える宣伝効果を評価することができるので、広告料金の設定基準が明確になり、適切な広告料金を算定することができ、さらに、通信機２２ａ、２２ｂによってロッカー装置１０の利用実績をリアルタイムで管理することができるので、広告料金の算定に実際の利用状況を素早く反映させることができる。
【００２４】
なお、本実施形態では、利用実績として、初回利用料金、および追加利用料金を算出するためのタイマーが稼働した回数を計測しているが、扉１３を施錠・解錠する際に鍵が挿脱された回数を計測し、利用実績とすることも可能である。
【００２５】
また、本実施形態では、ロッカー装置１０の利用実績を計測する利用実績計測手段としてカウンタ２０がロッカー装置１０に設けられ、且つ利用実績を伝達する手段として、通信機２２ａ、２２ｂが設けられているが、すでに駅に設置されているロッカー装置に対して、利用実績計測手段、および伝達手段として、定期的に利用料金を回収する集金作業員が回収した金額を管理装置２４に入力することで、新たに通信機をロッカー装置に設置しなくても情報を入力することができるので、大きな設備投資をすることなく設置済みのロッカー装置を管理することができる。
【００２６】
さらに、本実施形態では、掲示される広告の内容を交換する作業が終了したことを交換作業員が通信機２２ｂを操作することによって、管理装置２４に入力しているが、すでに設置されているロッカー装置に対して、交換作業員が所持する携帯電話などの携帯端末から管理装置２４に入力することで、新たに通信機を各ロッカー装置に設置しなくても管理装置２４に情報を入力することができるので、大きな設備投資をすることなくロッカー装置１０の広告料金、および交換作業を管理することができる。
【００２７】
加えて、本実施形態ではロッカー装置１０が設置される施設の利用者数に駅が公開する乗降者数を使用しているが、利用者数計測手段としてロッカー装置１０にセンサを設け、ロッカー装置１０の前を横切った人の人数を計測し、広告料金の設定に反映させることも可能である。
【００２８】
また、１週間を掲出期間の単位として、各掲出期間ごとの現場ランクを算出し、季節によって増減するロッカー１１の利用実績を広告料金に反映させることもできる。
【００２９】
【発明の効果】
請求項１に記載の本発明によれば、ロッカー装置の利用実績とロッカー装置が設置される施設の利用者数とから設置されたロッカー装置が備える宣伝効果を評価することができるので、広告料金の設定基準が明確になり、適切な広告料金を算定することができる。
【００３０】
請求項２に記載の本発明によれば、請求項１の発明の効果に加え、通信機によってロッカー装置の利用実績をリアルタイムで管理することができるので、広告料金の算定に実際の利用状況を素早く反映させることができる。
【００３１】
請求項３に記載の本発明によれば、ロッカー装置の利用実績とロッカー装置が設置される施設の利用者数とから設置されたロッカー装置が備える宣伝効果を評価することができるので、広告料金の設定基準が明確になり、適切な広告料金を算定することができる。
【００３２】
請求項４に記載の本発明によれば、請求項３の発明の効果に加え、通信機によってロッカー装置の利用実績をリアルタイムで管理することができるので、広告料金の算定に実際の利用状況を素早く反映させることができる。
【図面の簡単な説明】
【図１】本願発明のロッカー装置管理システムの構成を示すシステム概要図である。
【図２】ロッカー装置の要部拡大図である。
【図３】ロッカー装置の現場ランク算出表である。
【符号の説明】
１…ロッカー装置管理システム
１０…ロッカー装置
１０…管理装置
１１…ロッカー
１２…荷物室
１３…扉
１３ａ…扉の前面（情報表示手段）
２０…カウンタ（利用実績計測手段）
２２ａ…通信機（伝達手段）
２２ｂ…通信機（伝達手段）
【図１】
2004102529.tif 000003
【図２】
2004102529.tif 000004
【図３】
2004102529.tif 000005